(57)【要約】【課題】紙厚や紙質が異なる複数種類の枚葉紙を確実に吸着して上方に分離することのできる枚葉印刷機の給紙部におけるサッカー装置を提供する。【解決手段】切り換えレバー４０は支軸３９に一体に設けられて該支軸３９を介して本体シリンダ２０に回転可能に支持され、該支軸３９には吸着ピストン２１を係止可能な係止部４３が設けられ、切り換えレバー４０を第一の位置に操作した場合には、吸着ピストン２１は第一の突出量まで突出した際に係止部４３により係止されてそれ以上の突出が阻止され、切り換えレバー４０を第二の位置に操作した場合には、吸着ピストン２１は係止部４３により係止されずに第一の突出量より大きい第二の突出量まで突出する。【選択図】      図３
2004331385.tif 000002
【特許請求の範囲】
【請求項１】
本体シリンダが所定量下降したときにエアの吸引動作により吸着ピストンが本体シリンダから所定量下方に突出することにより、最上位の枚葉紙を吸着ピストンで吸着し、該吸着ピストンの上方への戻り動作によって最上位の枚葉紙を上方に分離するように構成された枚葉印刷機の給紙部におけるサッカー装置において、吸着ピストンの下方への突出量が調整可能に構成されていることを特徴とする枚葉印刷機の給紙部におけるサッカー装置。
【請求項２】
吸着ピストンの突出量を複数段に切り換えるための切り換え操作部が設けられている請求項１記載の枚葉印刷機の給紙部におけるサッカー装置。
【請求項３】
吸着ピストンの突出量を二段階に切り換える切り換えレバーが切り換え操作部として設けられ、該切り換えレバーは支軸に一体に設けられて該支軸を介して本体シリンダに回転可能に支持され、該支軸には吸着ピストンを係止可能な係止部が設けられ、切り換えレバーを第一の位置に操作した場合には、吸着ピストンは第一の突出量まで突出した際に係止部により係止されてそれ以上の突出が阻止され、切り換えレバーを第二の位置に操作した場合には、吸着ピストンは係止部により係止されずに第一の突出量より大きい第二の突出量まで突出する請求項２記載の枚葉印刷機の給紙部におけるサッカー装置。
【請求項４】
吸着ピストンは軸線方向に沿った貫通孔を有して該貫通孔の壁面上部には内鍔部が突設され、支軸は本体シリンダの上端開口を閉塞する蓋体に回転可能に支持されて本体シリンダの軸線方向に延びて吸着ピストンの貫通孔に挿入され、係止部は内鍔部を係止すべく支軸から径方向に突設され、切り換えレバーを第一の位置に操作すると係止部は内鍔部を係止可能となり、切り換えレバーを第二の位置に操作すると係止部は内鍔部を係止不能となる請求項３記載の枚葉印刷機の給紙部におけるサッカー装置。
【請求項５】
貫通孔は吸着ピストンの中心に形成され且つ内鍔部は全周に亘って形成され、支軸は吸着ピストンの中心に対して偏心し、係止部は支軸の周方向の一部に設けられている請求項４記載の枚葉印刷機の給紙部におけるサッカー装置。
【発明の詳細な説明】
【０００１】
【発明の属する技術分野】
本発明は、積層された枚葉紙をその最上位のものから順に供給する枚葉印刷機の給紙部に設けられて、エアの吸引により最上位の枚葉紙を吸着して上方に分離するサッカー装置の改良に関する。
【０００２】
【従来の技術】
この種枚葉印刷機における給紙部は、積層された枚葉紙をその最上位のものから順次一枚ずつ分離して前方に送り出すように構成されている。最上位の枚葉紙を上方に分離するために、給紙部には、枚葉紙を吸着して上方に持ち上げるサッカー装置が設けられている。
【０００３】
図８に従来のサッカー装置の一例を示している。該サッカー装置においては、図示しないリンク機構により上下運動と前後運動を行う本体シリンダ１００に、円筒状の吸着ピストン１０１が上下に所定範囲内で摺動自在に設けられている。該吸着ピストン１０１の上端部には本体シリンダ１００の内周面と摺動する鍔部１０１ａが形成され、該鍔部１０１ａより下方においては、吸着ピストン１０１の外周面と本体シリンダ１００との内周面との間に環状の空気室１０２が形成され、該空気室１０２に吸着ピストン１０１を上方に付勢するバネ１０３が格納されている。該空気室１０２はエアダクト１０４と連通し、吸着ピストン１０１を上下に貫通する貫通孔１０５は連通孔１０６を介して空気室１０２と連通している。
【０００４】
給紙停止状態においては、図８（イ）のように吸着ピストン１０１はバネ１０３の付勢力によってパッキン１０７に当接する位置まで上昇している。そして、給紙に際し、リンク機構によって本体シリンダ１００が所定量下降すると共に、エアダクト１０４を介してエアの吸引動作が開始される。空気室１０２と貫通孔１０５とを連通する連通孔１０６が小径であるので、該エアの吸引動作によって前記空気室１０２の気圧が低下する。その結果、吸着ピストン１０１は、図８（ロ）のようにバネ１０３の付勢力に抗して所定量下降し、バネ１０３は圧縮されて空気室１０２は縮小する。エアの吸引力は吸着ピストン１０１の下端に達しているので、本体シリンダ１００から所定量突出した吸着ピストン１０１の下端で最上位の枚葉紙を吸着する。このように吸着ピストン１０１が枚葉紙を吸着すると、吸着ピストン１０１の貫通孔１０５の下端開口が枚葉紙により閉じられるため、貫通孔１０５の気圧と空気室１０２の気圧が等しくなり、従って、吸着ピストン１０１はバネ１３の付勢力によって上方に押し上げられて、吸着ピストン１０１は元の上方位置に戻る。このように吸着ピストン１０１が枚葉紙を吸着しながら上昇することにより、最上位の枚葉紙をそれより下方のものから上方に分離することができる。その後、リンク機構により本体シリンダ１００を上昇させることによって、吸着した最上位の枚葉紙を更に上方に離反させ、リンク機構によって前方に送り出す。
【０００５】
【特許文献１】
実開平６−２７７８４号公報
【特許文献２】
実開平５−５１８３５号公報
【０００６】
【発明が解決しようとする課題】
このように従来のサッカー装置においては、リンク機構による上下動作と、エア吸引による吸着ピストン１０１の出退動作とによって、最上位の枚葉紙を上方に分離するようになっている。吸着ピストン１０１の出退動作はエアを利用したものであるためリンク機構に比して高速であるという利点を有する一方、吸着ピストン１０１が枚葉紙を吸着して持ち上げる量には限界があり、また、エアを利用した動作であるためにその動きを制御しにくいという問題もある。そのため、エアによる吸着ピストン１０１の高速な出退動作と、エアに比して低速ではあるものの正確で制御も容易なリンク機構による上下動作とが組み合わせられているのである。
【０００７】
しかしながら、従来のサッカー装置においては吸着ピストン１０１の突出量が一定であるため、紙質や紙厚によって吸着動作の安定性にばらつきがある。即ち、吸着ピストン１０１の突出量を十分なものに設定しておくことにより、吸着ピストン１０１が高速に突出して最上位の枚葉紙に素早く当接し吸着する際に、リンク機構によって本体シリンダ１００が下降することで吸着ピストン１０１を枚葉紙に押し付けることができる。そのため、厚い枚葉紙であっても確実に吸着することができる。その一方、多孔性の枚葉紙を吸着する場合には、吸着ピストン１０１で最上位の枚葉紙を押し付けると、エアの吸引力が最上位の枚葉紙を通過してその下側の二枚目の枚葉紙にまで達する結果、最上位のものと二枚目のものとを一度に吸着する、いわゆる二枚給紙が発生する場合がある。これに対し吸着ピストン１０１の突出量を小さく設定すると二枚給紙は防止されるものの、厚く重い枚葉紙の場合には吸着動作が安定しない。
【０００８】
それゆえに、本発明は、紙厚や紙質が異なる複数種類の枚葉紙を確実に吸着して上方に分離することのできる枚葉印刷機の給紙部におけるサッカー装置を提供することを課題とする。
【０００９】
【課題を解決するための手段】
本発明は、上記課題を解決すべくなされたものであり、本発明に係る枚葉印刷機の給紙部におけるサッカー装置は、本体シリンダが所定量下降したときにエアの吸引動作により吸着ピストンが本体シリンダから所定量下方に突出することにより、最上位の枚葉紙を吸着ピストンで吸着し、該吸着ピストンの上方への戻り動作によって最上位の枚葉紙を上方に分離するように構成された枚葉印刷機の給紙部におけるサッカー装置において、吸着ピストンの下方への突出量が調整可能に構成されていることを特徴とする。
【００１０】
該構成のサッカー装置にあっては、枚葉紙の紙厚や紙質によって吸着ピストンの下方への突出量を調整して使用することができる。例えば、厚い枚葉紙の場合には吸着ピストンの突出量を大きく設定して、本体シリンダの下降量と合わせて全体として大きな下降量を確保することができるので、最上位の枚葉紙に確実に吸着ピストンを押し付けて吸着することができる。また、多孔性の枚葉紙の場合には突出量を小さく設定することにより、吸着時において吸着ピストンが枚葉紙に強く押さえつけられるということを防止して、二枚同時に吸着することを防止できる。
【００１１】
突出量を無段階調整の構成としてもよいが、吸着ピストンの突出量を複数段に切り換えるための切り換え操作部を設けることが好ましく、切り換え操作部を切り換え操作することにより、予め決められた所定の突出量に切り換えることができるので、枚葉紙の変更に容易に対応することができる。
【００１２】
また、吸着ピストンの突出量を二段階に切り換える切り換えレバーが切り換え操作部として設けられ、該切り換えレバーは支軸に一体に設けられて該支軸を介して本体シリンダに回転可能に支持され、該支軸には吸着ピストンを係止可能な係止部が設けられ、切り換えレバーを第一の位置に操作した場合には、吸着ピストンは第一の突出量まで突出した際に係止部により係止されてそれ以上の突出が阻止され、切り換えレバーを第二の位置に操作した場合には、吸着ピストンは係止部により係止されずに第一の突出量より大きい第二の突出量まで突出することが好ましい。切り換えの段数は多いほど細かな調整が可能であるが、突出量の大きい場合と小さい場合の二段階の切り換えとすることにより切り換え操作が容易であり、操作ミスの発生も少ないという利点がある。そして、切り換えレバーを回転操作する構成とすることにより、切り換えレバーの角度位置によって現在の突出量を確認することができる。また、支軸に係止部を設けることで吸着ピストンを確実に係止して小さな突出量に制限することができる。
【００１３】
また、吸着ピストンは軸線方向に沿った貫通孔を有して該貫通孔の壁面上部には内鍔部が突設され、支軸は本体シリンダの上端開口を閉塞する蓋体に回転可能に支持されて本体シリンダの軸線方向に延びて吸着ピストンの貫通孔に挿入され、係止部は内鍔部を係止すべく支軸から径方向に突設され、切り換えレバーを第一の位置に操作すると係止部は内鍔部を係止可能となり、切り換えレバーを第二の位置に操作すると係止部は内鍔部を係止不能となることが好ましい。支軸と本体シリンダ及び吸着ピストンを平行に構成して吸着ピストンの貫通孔に挿入する構成とすることにより、吸着ピストンの往復運動を阻害することなく支軸を容易に配置することができる。
【００１４】
更に、貫通孔は吸着ピストンの中心に形成され且つ内鍔部は全周に亘って形成され、支軸は吸着ピストンの中心に対して偏心し、係止部は支軸の周方向の一部に設けられていることが好ましい。吸着ピストンの内鍔部を周方向の一部のみに突設して支軸を吸着ピストンと同軸に設けることもできるが、その場合には本体シリンダに対する吸着ピストンの角度位相を正確に合わせることが必要となって製造、管理も容易ではなくなる。従って、支軸を偏心すると共に内鍔部を全周に亘って形成することにより吸着ピストンを本体シリンダに対する角度位相を管理する必要がなくなり製造が容易となる。
【００１５】
【発明の実施の形態】
以下、本発明に係る枚葉印刷機の給紙部におけるサッカー装置の一実施形態について図１乃至図７を参酌しつつ説明する。
本実施形態におけるサッカー装置の全体構成が図１に示されている。該サッカー装置は、積層された枚葉紙Ｓのうちから最上位のものを吸着して前方に所定量送り出すように構成され、本実施形態においては、最上位の枚葉紙Ｓの上面後端部を吸着して前方に押し出すように構成されている。具体的には、枚葉紙Ｓを吸着すべく枚葉紙Ｓの上方に配置されるサッカー本体１と、該サッカー本体１を前後方向と上下方向に移動させるためのリンク機構２とを備えている。尚、紙送り方向を前後方向とし、紙送り方向の上流側を後ろ、下流側を前とする。
【００１６】
リンク機構２は、合計四本のリンク３，４，５，６から構成され、互いに、印刷機の左右方向、即ち、枚葉紙Ｓの幅方向に沿った軸線まわりに回転可能に連結されている。第一のリンク３には第一のカム７に当接する第一のカムフォロア８が設けられ、第一のカム７の回転により第一のリンク３はフィーダベース９に対して固定の枢着点１０を中心として揺動する。該第一のリンクの揺動動作により、第四のリンク６の下端に装着されたサッカー本体１は前後方向に移動する。また、第二のリンク４には第二のカム１１に当接する第二のカムフォロア１２が設けられ、該第二のカム１１の回転により第二のリンク４は前記固定の枢着点１０を中心として揺動する。この第二のリンク４の揺動動作により、サッカー本体１は主として上下方向にその位置を変化させる。尚、第三リンク５の下端は第四リンク６の中途部分に枢着されている。また、第一のリンク３と第二のリンク４を互いに閉じるようにバネ１３が設けられ、該バネ１３によって第一及び第二のカムフォロア８，１２はそれぞれ第一及び第二のカム７，１１に当接するように付勢されている。
【００１７】
また、第四のリンク６の下端には枚葉紙Ｓの幅方向に延びる横軸１４が取り付けられ、該横軸１４にサッカー本体１が左右一対装着されている。該サッカー本体１は横軸１４にスライド可能に構成されていて枚葉紙Ｓの幅方向のサイズ変更に対応する。
【００１８】
サッカー本体１は、横軸１４に装着されてその内側に円柱状の内孔３０を有する本体シリンダ２０と、該本体シリンダ２０の内孔３０に摺動可能に設けられた吸着ピストン２１とを備えている。図２乃至図５にはサッカー本体１のみが示されており、横軸１４等は省略されている。
【００１９】
吸着ピストン２１は、全体として両端開口の円筒状であって、その外周面上端部には全周に亘って外鍔部３１が形成され、該外鍔部３１が本体シリンダ２０の内孔３０の壁面と摺動する。また、吸着ピストン２１の下端側は本体シリンダ２０の下端開口から下方に突出し、その突出した下端には枚葉紙Ｓを吸着するための逆皿状の吸口部３２が設けられている。本体シリンダ２０の下端開口は内孔３０よりも小径であり、吸着ピストン２１の外周面と摺動する。そして、吸着ピストン２１の外鍔部３１より下方側には、吸着ピストン２１の外周面と内孔３０の壁面との間に環状の空気室３３が形成されており、該空気室３３には吸着ピストン２１を上方に付勢するためのバネ３４が格納されている。また、吸着ピストン２１の中心に形成された貫通孔３５と空気室３３とは小径の連通孔（図示省略）を介して連通している。そして、本体シリンダ２０にはエアダクト３６が外方に向けて突設され、該エアダクト３６は空気室３３と連通すると共に、図示しない吸引装置に接続されており、従って、エアの吸引力はエアダクト３６、空気室３３、連通孔、貫通孔３５を介して、吸着ピストン２１の下端の吸口部３２にまで到達する。尚、吸口部３２は弾性部材から構成されている。
【００２０】
また、本体シリンダ２０の上端開口は、パッキン３７を介して蓋体３８により閉塞されている。該蓋体３８を貫通するように支軸３９が蓋体３８に回転可能に支持されている。該支軸３９は、本体シリンダ２０の軸線方向に延びていると共に、図２及び図４のように吸着ピストン２１の中心２１ａに対して所定量偏心している。そして、支軸３９の上端部は蓋体３８から上方に突出し、その上端部には、支軸３９と略直交する方向に延びる切り換えレバー４０が一体に取り付けられている。該切り換えレバー４０は、丸棒状であってその基端部が支軸３９に挿入固定され、その先端部は蓋体３８の周縁部よりも外方に突出している。そして、蓋体３８の上面には、左右一対のストッパ面４１，４２が立設され、該ストッパ面４１，４２に切り換えレバー４０が当接することによりそれ以上の回転が阻止される。尚、切り換えレバー４０は支軸３９を支点として左右両ストッパ面４１，４２に当接するまで略１８０度の角度領域で回転する。一方、支軸３９の下端部はパッキン３７を貫通して内孔３０に突出し、その下端部には、径方向に突出する係止部４３が設けられている。該係止部４３は、図２及び図４に示すように、周方向の一部に設けられて全体として扇状に形成されている。また、エアの吸引動作の開始前において、支軸３９の下端部は、図５（イ）のように、吸着ピストン２１の貫通孔３５に挿入されている。吸着ピストン２１の内周面上端部、即ち、貫通孔３５の壁面上端部には、全周に亘って内鍔部４４が突設されている。該内鍔部４４は環状であって、その突出量は全周に亘って略均一である。そして、切り換えレバー４０を図２のように一方のストッパ面４１に当接させると、図４（イ）のように係止部４３が内鍔部４４の下側に重なり合って係止部４３は内鍔部４４を係止可能となり、切り換えレバー４０を略１８０度回転させて他方のストッパ面４２に当接させると、図４（ロ）のように、係止部４３と内鍔部４４とが全く重なり合わない状態となって係止部４３は内鍔部４４を係止不能となる。尚、本実施形態において、切り換えレバー４０が一方のストッパ面４１に当接する位置が第一の位置であり、他方のストッパ面４２に当接する位置が第二の位置である。
【００２１】
ところで、給紙のタイミングに合わせてエアの吸引動作を行うと、吸着ピストン２１に形成された連通孔が貫通孔３５やエアダクト３６に比して小径であるため、空気室３３は減少し、吸着ピストン２１はバネ３４の付勢力に抗して下降する。その際、切り換えレバー４０を一方のストッパ面４１に当接させた状態でエアの吸引動作を行うと、図５（イ）の状態から吸着ピストン２１が下降して図５（ロ）のように第一の突出量まで下方に突出したときに内鍔部４４が係止部４３により係止され、吸着ピストン２１はそれ以上下降しない。その一方、切り換えレバー４０を他方のストッパ面４２に当接させた状態でエアの吸引動作を行うと、係止部４３と内鍔部４４とは軸線方向に重なり合っていないので、図５（ハ）のように、内鍔部４４は係止部４３により係止されずに、第一の突出量よりも大きい第二の突出量まで突出する。例えば、バネ３４がそれ以上圧縮できないところまで吸着ピストン２１は下降し突出する。尚、第一及び第二の突出量は任意に設定すればよいが、例えば、５ｍｍと１１ｍｍの如く設定される。エアの吸引動作を行う前は、図５（イ）のように、吸着ピストン２１はパッキン３７に当接するまで上昇しているので、パッキン３７から係止部４３までの寸法により、第一の突出量が定まる。
【００２２】
以上のように構成されたサッカー装置において以下その使用状態について説明する。
例えば、多孔性の枚葉紙Ｓを使用する場合、切り換えレバー４０を一方のストッパ面４１に当接させる。その状態で給紙を開始すると、給紙のタイミングに合わせて、エアの吸引動作が行われると共にリンク機構２によるサッカー本体１の上下、前後移動が行われる。まず、エアの吸引動作によって吸着ピストン２１は図５（ロ）のように第一の突出量まで突出する。第一の突出量は相対的に小さいため、この吸着ピストン２１の突出のみでは吸着ピストン２１は図６（イ）のように最上位の枚葉紙Ｓには届かない。しかしながら、エアの吸引動作と共にリンク機構２も作動して本体シリンダ２０、即ちサッカー本体１自体を下降させるため、そのリンク機構２による降下によって図６（ロ）のように吸着ピストン２１は最上位の枚葉紙Ｓに到達し、その枚葉紙Ｓを吸着する。尚、実際上は、吸着ピストン２１の下方への突出動作とリンク機構２によるサッカー本体１の降下とは略同時に開始されるが、吸着ピストン２１の下方への突出動作はリンク機構２によるサッカー本体１の下降動作よりも高速であるため、説明上、図６（イ）のように吸着ピストン２１のみ下方に突出した状態と、図６（ロ）のようにリンク機構２によってサッカー本体１が降下した状態とを区別して示している。
【００２３】
そして、図６（ロ）のように吸着ピストン２１が最上位の枚葉紙Ｓを吸着すると、貫通孔３５内の気圧と空気室３３内の気圧とが等しくなるので、吸着ピストン２１はバネ３４の付勢力によって元の位置まで上昇し、該吸着ピストン２１の本体シリンダ２０への戻り動作によって図６（ハ）のように最上位の枚葉紙Ｓが上方に分離される。この後、リンク機構２によってサッカー本体１は上昇し且つ前方に移動する。
【００２４】
このように、吸着ピストン２１の突出量が小さいので、リンク機構２によってサッカー本体１が降下しても、それによって吸着ピストン２１が枚葉紙Ｓを下方に強く押し付けない。従って、二枚目の枚葉紙Ｓをも同時に吸着するということが防止される。
【００２５】
これに対し、枚葉紙Ｓを多孔性のものから重くて厚いものに変更する場合、切り換えレバー４０を操作して他方のストッパ面４２に当接させる。この切り換え操作によって係止部４３は内鍔部４４を係止しない状態となり、図７（イ）に示すように吸着ピストン２１はエアの吸引動作によって最上位の枚葉紙Ｓに当接するまで突出する。それから僅かに後れてリンク機構２によって更にサッカー本体１が下降し、吸着ピストン２１は最上位の枚葉紙Ｓに下方に押し付けられる。その後、吸着ピストン２１の本体シリンダ２０への戻り動作によって最上位の枚葉紙Ｓが上方に分離される。このように、枚葉紙Ｓが厚く重い場合には、可及的速やかに吸着ピストン２１を最上位の枚葉紙Ｓに吸着させることが安定した吸着のためには好ましく、そして、リンク機構２によって吸着ピストン２１を強く枚葉紙Ｓに押し付けることによって吸着ピストン２１の吸口部３２を枚葉紙Ｓに密着させてエア漏れを防いで確実に上方に浮上させることができる。しかしながら、吸着ピストン２１の突出量が大きい設定状態で仮に多孔性の枚葉紙Ｓを吸着すると、図７（ハ）に二点鎖線にて示すように二枚目の枚葉紙Ｓも同時に吸着されることになる。従って、枚葉紙Ｓの種類によって作業者が切り換えレバー４０を切り換え操作して吸着ピストン２１の突出量を大小切り換えることにより、厚く重い枚葉紙Ｓであっても、また、多孔性で軽い枚葉紙Ｓであっても、最上位の枚葉紙Ｓのみを確実に上方に分離して前方に給紙することができるのである。
【００２６】
尚、本実施形態では、切り換えレバー４０が略１８０度のみ回転する構成であったが、３６０度回転する構成としてもよい。また、第一の位置から第二の位置までの角度が略１８０度の場合について説明したが、それ以外の角度であっても無論よい。何れにしても、切り換えレバー４０を回転操作する構成の場合には、その角度位置から吸着ピストン２１の現状の突出量を容易に把握、確認することができる。但し、第一及び第二の位置が互いに略１８０度対向するように構成することが好ましく、より一層容易に吸着ピストン２１の現状の突出量を把握することができる。
【００２７】
また、支軸３９の構成も適宜設計変更可能であって吸着ピストン２１の軸線方向に沿って延びる構成の他、例えば、吸着ピストン２１の径方向に沿って延びる構成であってもよい。
【００２８】
また、切り換え操作部として切り換えレバー４０を設けたが、例えば、押しボタン式の切り換え操作部であってもよい。更に、切り換えの段数についても三段以上のものであってもよい。また、吸着ピストン２１の突出量を無段階に調整する構成としてもよく、何れにしても、吸着ピストン２１の突出量が調整可能に構成されていればよい。
【００２９】
【発明の効果】
以上のように、本発明に係るサッカー装置にあっては、吸着ピストンの突出量が調整可能であるため、その突出量が固定の従来のものに比して、紙厚や紙質の異なる複数種類の枚葉紙を確実に吸着して二枚目のものから上方に分離することができ、二枚同時の給紙の発生を抑制することができる。
【図面の簡単な説明】
【図１】本発明の一実施形態における枚葉印刷機の給紙部におけるサッカー装置を示す側面図。
【図２】同装置の要部平面図。
【図３】同装置の要部縦断面図。
【図４】同装置の要部横断面図であって、（イ）は切り換えレバーを第一の位置に操作した状態を、（ロ）は切り換えレバーを第二の位置に操作した状態を示す。
【図５】同装置の使用状態を示す要部縦断面図であって、（イ）は切り換えレバーが第一の位置に位置してエアの吸引動作前の状態を示し、（ロ）は（イ）の状態からエアの吸引動作によって吸着ピストンが第一の突出量まで突出した状態を示し、（ハ）は切り換えレバーが第二の位置に位置する場合においてエアの吸引動作によって吸着ピストンが第二の突出量まで突出した状態を示す。
【図６】（イ）乃至（ハ）は吸着ピストンが第一の突出量に設定されている場合における枚葉紙の吸着動作を時系列的に順に示す概略図。
【図７】（イ）乃至（ハ）は吸着ピストンが第二の突出量に設定されている場合における枚葉紙の吸着動作を時系列的に順に示す概略図。
【図８】従来のサッカー装置の要部縦断面図であって、（イ）は吸着ピストンが突出前の状態を、（ロ）は吸着ピストンが所定量突出した状態を示す。
【符号の説明】
Ｓ…枚葉紙、１…サッカー本体、２…リンク機構、３，４，５，６…リンク、７，１１…カム、８，１２…カムフォロア、９…フィーダベース、１０…枢着点、１３…バネ、１４…横軸、２０…本体シリンダ、２１…吸着ピストン、３０…内孔、３１…外鍔部、３２…吸口部、３３…空気室、３４…バネ、３５…貫通孔、３６…エアダクト、３７…パッキン、３８…蓋体、３９…支軸、４０…切り換えレバー、４１，４２…ストッパ面、４３…係止部、４４…内鍔部
【図１】
2004331385.tif 000003
【図２】
2004331385.tif 000004
【図３】
2004331385.tif 000005
【図４】
2004331385.tif 000006
【図５】
2004331385.tif 000007
【図６】
2004331385.tif 000008
【図７】
2004331385.tif 000009
【図８】
2004331385.tif 000010